【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
栄養チューブアセンブリであって、前記栄養チューブアセンブリは、
可撓性栄養チューブであって、前記可撓性栄養チューブは、反対側にある第１の縦方向端部および第２の縦方向端部、前記第１の縦方向端部と第２の縦方向端部との間に延在する縦方向軸、ならびに前記第１の縦方向端部と第２の縦方向端部との間の前記縦方向軸に沿って延在し、前記可撓性栄養チューブの中に画定される供給通路を有する、可撓性栄養チューブと、
前記供給通路と流体連通している前記チューブの前記第２の縦方向端部に隣接する入口アダプタであって、前記入口アダプタは、経腸栄養液体源を前記供給通路に流体的に接続するための、前記経腸栄養液体源への流体接続のために構成される、入口アダプタと、
撮像デバイスを含む撮像アセンブリであって、前記撮像アセンブリは、被検体の消化管の画像を示す撮像信号を生成および伝送するために構成され、前記撮像アセンブリは、前記チューブの前記第１の縦方向端部に隣接して前記チューブに固定され、前記供給通路の中の経腸栄養液体が前記撮像アセンブリに進入することを阻止するように前記供給通路から密閉される、撮像アセンブリと、
前記撮像アセンブリに近接し、経腸栄養液体を前記被検体に送達するために前記供給通路と流体連通している供給出口であって、前記供給出口は、前記栄養チューブアセンブリの遠位端から離間されており、その結果、前記撮像デバイスは、前記供給出口よりも前記栄養チューブアセンブリの前記遠位端により近い、供給出口と、
前記撮像アセンブリに通信可能に接続されるコンソールコネクタであって、前記コンソールコネクタは、コンソールへの前記撮像信号の伝送を可能にするために、前記撮像アセンブリを前記コンソールに接続することに使用するように構成される、コンソールコネクタと
を含む、栄養チューブアセンブリ。
【請求項２】
前記チューブの縦方向軸は、前記供給通路を通過する、請求項１に記載の栄養チューブアセンブリ。
【請求項３】
前記撮像アセンブリから前記コンソールコネクタまで前記チューブに沿って縦方向に延在する信号伝送構成要素をさらに含み、前記信号伝送構成要素は、前記撮像アセンブリと前記コンソールコネクタとの間の連通を提供する、請求項２に記載の栄養チューブアセンブリ。
【請求項４】
前記チューブは、チューブ壁を含み、前記チューブ壁は、前記供給通路を画定する内面、および前記チューブの外面を画定する外面を有し、前記信号伝送構成要素は、前記チューブ壁の中の信号伝送通路の中に受容され、流体通路から密閉される、請求項３に記載の栄養チューブアセンブリ。
【請求項５】
前記信号伝送構成要素は、前記チューブ壁に埋め込まれる、請求項４に記載の栄養チューブアセンブリ。
【請求項６】
前記信号伝送構成要素は、複数の信号ラインを含む、請求項４に記載の栄養チューブアセンブリ。
【請求項７】
前記信号ラインは、電力供給ライン、接地ライン、および一対の差分信号ラインから構成される、請求項６に記載の栄養チューブアセンブリ。
【請求項８】
前記栄養チューブと前記撮像アセンブリとを相互接続する撮像アセンブリコネクタをさらに含み、前記撮像アセンブリコネクタは、前記供給出口を画定する、請求項１に記載の栄養チューブアセンブリ。
【請求項９】
前記撮像アセンブリコネクタは、前記栄養チューブよりも剛性である、請求項８に記載の栄養チューブアセンブリ。
【請求項１０】
前記撮像アセンブリは、変形可能な回路要素を含み、前記撮像デバイスおよび光源は、前記変形可能な回路要素上に載置される、請求項１に記載の栄養チューブアセンブリ。
【請求項１１】
前記変形可能な回路要素は、前記栄養チューブの前記縦方向軸と平行に延在する平面的な縦方向部分と、前記栄養チューブの前記縦方向軸と直角に延在する平面的な横方向部分とを含み、前記撮像デバイスおよび前記光源は、前記変形可能な回路要素の前記横方向部分上に載置される、請求項１０に記載の栄養チューブアセンブリ。
【請求項１２】
前記変形可能な回路要素は、近位端と、遠位端と、カメラ載置面と、光源載置面とを含み、前記近位端は、前記栄養チューブに固定され、前記遠位端は、前記栄養チューブから遠隔にあり、前記近位端と前記遠位端とは、その間に前記変形可能な回路要素の縦方向軸を画定し、前記カメラ載置面は、前記変形可能な回路要素の前記縦方向軸に直角に配向され、前記光源載置面は、前記変形可能な回路要素の前記縦方向軸および前記カメラ載置面に垂直に配向され、前記撮像デバイスは、前記カメラ載置面上に載置され、前記光源は、前記撮像デバイスから遠位にある位置において前記光源載置面上に載置される、請求項１０に記載の栄養チューブアセンブリ。
【請求項１３】
前記変形可能な回路要素は、前記栄養チューブに隣接する近位端と、前記栄養チューブから遠隔にある遠位端と、前記近位端と遠位端との間に延在する縦方向軸とを有し、前記変形可能な回路要素は、カメラ載置部分と光源載置部分とを含み、前記カメラ載置部分は、前記変形可能な回路要素の前記縦方向軸と直角に延在し、その上にカメラが載置され、前記光源載置部分は、前記カメラ載置部分に対して横方向に配置され、前記光源は、前記光源が前記カメラに対して横方向に配置されるように前記光源載置部分上に載置される、請求項１０に記載の栄養チューブアセンブリ。
【請求項１４】
前記撮像アセンブリは、経鼻胃管挿管のためにサイズ決定および成形される、請求項１に記載の栄養チューブアセンブリ。
【請求項１５】
前記コンソールコネクタは、電子メモリ構成要素を含み、前記電子メモリ構成要素は、その上に前記栄養チューブアセンブリに関する栄養チューブデータが書かれており、前記電子メモリ構成要素および前記栄養チューブデータは、外部マイクロプロセッサによってアクセス可能である、請求項１に記載の栄養チューブアセンブリ。
【請求項１６】
前記コンソールコネクタは、プリント回路基板（ＰＣＢ）を含み、前記ＰＣＢは、インターフェースケーブルに接続するように適合されるエッジコネクタを有し、前記電子メモリ構成要素は、前記ＰＣＢ上に載置され、前記エッジコネクタに電気的に接続される、請求項１５に記載の栄養チューブアセンブリ。
【請求項１７】
前記栄養チューブデータは、前記コネクタアセンブリと関連付けられる所定の識別子を含み、前記所定の識別子は、前記栄養チューブアセンブリを他の栄養チューブアセンブリと区別する、請求項１５に記載の栄養チューブアセンブリ。
【請求項１８】
前記栄養チューブデータは、前記栄養チューブアセンブリの製造日を含む、請求項１５に記載の栄養チューブアセンブリ。
【請求項１９】
前記コンソールコネクタは、前記入口アダプタと前記撮像アセンブリとの中間にある、請求項１に記載の栄養チューブアセンブリ。
【請求項２０】
前記コンソールコネクタは、前記栄養チューブから横方向外向きに延在する、請求項１９に記載の栄養チューブアセンブリ。
【請求項２１】
前記供給通路は、前記コンソールコネクタを通過する、請求項１９に記載の栄養チューブアセンブリ。
【請求項２２】
前記撮像アセンブリは、リジッドフレキシブル回路を含み、前記撮像デバイスは、前記リジッドフレキシブル回路上に載置される、請求項１に記載の栄養チューブアセンブリ。
【請求項２３】
栄養チューブアセンブリであって、前記栄養チューブアセンブリは、
可撓性栄養チューブであって、前記可撓性栄養チューブは、反対側にある第１の縦方向端部および第２の縦方向端部、前記第１の縦方向端部と第２の縦方向端部との間に延在する縦方向軸、ならびに前記第１の縦方向端部と第２の縦方向端部との間の前記縦方向軸に沿って延在し、前記可撓性栄養チューブの中に画定される供給通路を有する、可撓性栄養チューブと、
前記供給通路と流体連通している前記チューブの前記第２の縦方向端部に隣接する入口アダプタであって、前記入口アダプタは、経腸栄養液体源を前記供給通路に流体的に接続するための、前記経腸栄養液体源への流体接続のために構成される、入口アダプタと、
近位端および遠位端を有する筐体と、前記筐体内に少なくとも部分的に囲まれた撮像デバイスとを含む撮像アセンブリであって、前記撮像アセンブリは、被検体の消化管の画像を示す撮像信号を生成および伝送するために構成され、前記筐体の前記近位端は、前記栄養チューブの前記第１の縦方向端部の遠位に配置され、前記撮像アセンブリは、前記供給通路の中の経腸栄養液体が前記撮像アセンブリに進入することを阻止するように前記供給通路から密閉される、撮像アセンブリと、
経腸栄養液体を前記被検体に送達するために前記供給通路と流体連通している供給出口と
を含む、栄養チューブアセンブリ。
【請求項２４】
前記栄養チューブと前記撮像アセンブリとを相互接続する撮像アセンブリコネクタをさらに含み、前記撮像アセンブリの前記筐体の前記近位端は、前記撮像アセンブリコネクタ上に載置されている、請求項２３に記載の栄養チューブアセンブリ。
【請求項２５】
栄養チューブアセンブリであって、前記栄養チューブアセンブリは、
反対側にある第１の縦方向端部および第２の縦方向端部、ならびに前記第１の縦方向端部と第２の縦方向端部との間に延在し、供給通路が中に画定されている可撓性栄養チューブと、
前記供給通路と流体連通している前記チューブの前記第２の縦方向端部に隣接する入口アダプタであって、前記入口アダプタは、経腸栄養液体源に流体接続するように構成される、入口アダプタと、
被検体の消化管の画像を示す撮像信号を生成するための撮像デバイスを含む撮像アセンブリであって、前記撮像アセンブリは、前記チューブの前記第１の端部に隣接して前記栄養チューブに固定され、前記供給通路から流体的に隔離されている、撮像アセンブリと、
前記入口アダプタに近接して前記栄養チューブに固定されるコンソールコネクタであって、前記コンソールコネクタは、前記撮像アセンブリに通信可能に接続され、前記コンソールへの前記撮像信号の伝送を可能にするために、前記撮像アセンブリを前記コンソールに接続することに使用するように構成される、コンソールコネクタと
を含む、栄養チューブアセンブリ。
【請求項２６】
前記コンソールコネクタは、電子メモリ構成要素を含み、前記電子メモリ構成要素は、その上に前記栄養チューブアセンブリに関する栄養チューブデータが書かれており、前記電子メモリ構成要素および前記栄養チューブデータは、外部マイクロプロセッサによってアクセス可能である、請求項２５に記載の栄養チューブアセンブリ。
【請求項２７】
前記コンソールコネクタは、プリント回路基板（ＰＣＢ）を含み、前記ＰＣＢは、インターフェースケーブルに接続するように適合されるエッジコネクタを有し、前記電子メモリ構成要素は、前記ＰＣＢ上に載置され、前記エッジコネクタに電気的に接続される、請求項２６に記載の栄養チューブアセンブリ。
【請求項２８】
前記撮像アセンブリは、経鼻胃管挿管のためにサイズ決定および成形される、請求項２５に記載の栄養チューブアセンブリ。
【請求項２９】
前記撮像アセンブリは、変形可能な回路要素を含み、前記撮像デバイスおよび光源は、前記変形可能な回路要素上に載置される、請求項２５に記載の栄養チューブアセンブリ。
【請求項３０】
前記変形可能な回路要素は、前記栄養チューブの前記縦方向軸と平行に延在する平面的な縦方向部分と、前記栄養チューブの前記縦方向軸と直角に延在する平面的な横方向部分とを含み、前記撮像デバイスおよび前記光源は、フレキシブル回路の横方向部分上に載置される、請求項２９に記載の栄養チューブアセンブリ。
【請求項３１】
撮像カテーテルアセンブリであって、前記撮像カテーテルアセンブリは、
第１の本体端部、および反対側にある第２の本体端部を有する細長い本体と、
前記第１の本体端部に固定される撮像アセンブリであって、前記撮像アセンブリは、前記第１の本体端部から遠隔にある第１の撮像アセンブリ端部、前記第１の本体端部に隣接する第２の撮像アセンブリ端部、および前記第１と第２の撮像アセンブリ端部との間に延在する撮像アセンブリ縦方向軸を有し、前記撮像アセンブリは、
リジッドフレキシブル回路であって、前記リジッドフレキシブル回路は、前記第２の撮像アセンブリ端部の隣接から前記第１の撮像アセンブリ端部に向かって、前記撮像アセンブリ縦方向軸に沿って延在する電子構成要素載置部分、および前記第１の撮像アセンブリ端部に隣接し、前記撮像アセンブリに略直角に延在するカメラ載置部分を有し、電子構成要素載置部分は、縦方向に離間している第１および第２の剛性セクションと、前記第１の剛性セクションと第２の剛性セクションとの間に配置される第１の可撓性セクションとを含む、リジッドフレキシブル回路と、
前記電子構成要素載置部分の前記第１の剛性セクション上に載置される第１の電子構成要素と、
前記電子構成要素載置部分の前記第２の剛性セクション上に載置される第２の電子構成要素と、
前記カメラ載置部分上に載置されるカメラであって、前記カメラは、前記第１および第２の電子構成要素に通信可能に接続される、カメラと、
前記リジッドフレキシブル回路が中に配置される筐体であって、前記筐体は、前記リジッドフレキシブル回路の少なくとも一部分を円周方向に包囲する、筐体と
を含む、撮像アセンブリと
を含み、
前記電子構成要素載置部分の前記第１の可撓性セクションは、前記リジッドフレキシブル回路が前記第１の可撓性セクションにおいて屈曲することが可能であるように、電子構成要素がその上に載置されていない、撮像カテーテルアセンブリ。
【請求項３２】
前記撮像アセンブリの前記筐体は、縦方向に離間している第１および第２の剛性円周方向セクション、および前記第１の剛性セクションと第２の剛性セクションとの間に配置される第１の可撓性円周方向セクションを含み、前記第１および第２の剛性円周方向セクションは、前記リジッドフレキシブル回路の前記第１および第２の剛性セクションと実質的に半径方向にそれぞれ整列させられ、前記第１の可撓性円周方向セクションは、前記リジッドフレキシブル回路の前記第１の可撓性セクションと略半径方向に整列させられている、請求項３１に記載の撮像カテーテルアセンブリ。
【請求項３３】
医療処置を行うことに使用するための撮像カテーテルシステムであって、前記撮像カテーテルシステムは、
撮像カテーテルであって、前記撮像カテーテルは、
反対側にある第１および第２の端部を有する細長い本体と、
被検体に挿入されるように適合される、前記本体の前記第１の端部にある撮像アセンブリであって、前記撮像アセンブリは、前記撮像アセンブリが前記被検体に挿入されると、前記被検体の生体構造の画像を表す撮像信号を生成するための撮像デバイスを含み、前記撮像アセンブリは、前記撮像デバイスによって生成される前記撮像信号を伝送するように適合される、撮像アセンブリと
を含む、撮像カテーテルと
ディスプレイを含むコンソールであって、前記コンソールは、前記撮像アセンブリによって伝送される前記撮像信号を受信し、前記撮像信号から生成される画像を前記ディスプレイ上に表示するように構成され、前記コンソールは、前記撮像アセンブリから前記コンソールによって以前に受信された画像、および前記撮像アセンブリから前記コンソールによって現在受信されている画像データからの現在の画像を同時に提示するように構成され、前記コンソールは、前記ディスプレイ上にグラフィカルユーザインターフェースを提供するように構成され、前記グラフィカルユーザインターフェースは、１つ以上の画像に注釈を付けるオプションをユーザに提供する、コンソールと
含む、撮像カテーテルシステム。
【請求項３４】
前記１つ以上の画像に注釈を付ける前記オプションは、テキストを前記１つ以上の画像に追加するオプションを含む、請求項３３に記載の撮像カテーテルシステム。